(57)【要約】【課題】通常再生用の動画像データと高速再生用の画像データを効率よく外部装置に送信できるようにする。【解決手段】記録再生装置２０は、記録媒体１０に記録された通常再生用の動画像データ及び高速再生用の画像データを再生する記録再生部１１と、記録再生部１１で再生された通常再生用の動画像データを転送するための第１のバス１５と、記録再生部１１で再生された高速再生用の画像データを転送するための第２のバス１６と、第１及び第２のバス１５、１６を介して通常再生用の動画像データ及び高速再生用の画像データを受信する通信手段１４とを有する。通信手段１４は、第１及び第２のバス１５、１６を介して受信した通常再生用の動画像データ及び高速再生用の画像データをそれぞれ異なる論理チャネルを介して外部装置に送信する。【選択図】図１
2009060535.tif 000002
【特許請求の範囲】
【請求項１】
記録媒体から通常再生用の動画像データ及び高速再生用の画像データを再生する再生手段と、
前記記録媒体から再生された前記通常再生用の動画像データを転送するための第１のバスと、
前記記録媒体から再生された前記高速再生用の画像データを転送するための第２のバスと、
前記第１のバス及び前記第２のバスを介して前記通常再生用の動画像データ及び前記高速再生用の画像データを受信する通信手段とを有し、
前記通信手段は、前記第１のバス及び前記第２のバスを介して受信した前記通常再生用の動画像データ及び前記高速再生用の画像データをそれぞれ異なる論理チャネルを介して外部装置に送信することを特徴とする再生装置。
【請求項２】
前記通信手段は、前記通常再生用の動画像データをアイソクロナス転送用の論理チャネルを介して前記外部装置に送信し、前記高速再生用の画像データをアイソクロナス転送用の論理チャネルを介して前記外部装置に送信することを特徴とする請求項１に記載の再生装置。
【請求項３】
前記通信手段は、前記通常再生用の動画像データをアイソクロナス転送用の論理チャネルを介して前記外部装置に送信し、前記高速再生用の画像データをバルク転送用の論理チャネルを介して前記外部装置に送信することを特徴とする請求項１に記載の再生装置。
【請求項４】
前記通信手段は、前記高速再生用の画像データの転送が開始されることを通知するための情報をインタラプト転送用の論理チャネルを介して前記外部装置に送信することを特徴とする請求項３に記載の再生装置。
【請求項５】
前記通信手段は、前記通常再生用の動画像データをアイソクロナス転送用の論理チャネルを介して前記外部装置に送信し、前記高速再生用の画像データをインタラプト転送用の論理チャネルを介して前記外部装置に送信することを特徴とする請求項１に記載の再生装置。
【請求項６】
前記通信手段は、前記通常再生用の動画像データをアイソクロナス転送を用いて前記外部装置に送信し、前記高速再生用の画像データをアイソクロナス転送を用いて前記外部装置に送信することを特徴とする請求項１に記載の再生装置。
【請求項７】
前記通信手段は、前記通常再生用の動画像データをアイソクロナス転送を用いて前記外部装置に送信し、前記高速再生用の画像データをアシンクロナス転送を用いて前記外部装置に送信することを特徴とする請求項１に記載の再生装置。
【請求項８】
前記高速再生用の画像データは、前記通常再生用の動画像データのうち、フレーム内符号化により符号化されたフレームの画像データによって構成されていることを特徴とする請求項１から７のいずれか１項に記載の再生装置。
【請求項９】
前記通常再生用の動画像データは、ＭＰＥＧ２のトランスポートストリーム形式で前記通信手段から送信されることを特徴とする請求項１から８のいずれか１項に記載の再生装置。
【発明の詳細な説明】
【技術分野】
【０００１】
本発明は、記録媒体から動画像データを再生する再生装置に関する。
【背景技術】
【０００２】
特許文献１には、ＰＥＳ形式の動画像データ（通常再生用）と、画像データ（高速再生用）とを、ＭＰＥＧ２のＴＳ形式で多重化して、デジタルインターフェース（ＤＩＦ）に出力する技術が記載されている。
【特許文献１】特開２００４−２４２１７２号公報
【発明の開示】
【発明が解決しようとする課題】
【０００３】
特許文献１では、ＰＥＳ形式の動画像データと、高速再生用の画像データとをＴＳ形式に変換して多重化する必要がある。そのため、ＰＥＳ形式の動画像データのみをＴＳ形式に変換する場合に比べて、多重化回路が複雑になるという問題がある。
【０００４】
また、ＰＥＳ形式の動画像データのみをＴＳ形式に変換してＤＩＦに出力する場合に比べて、ＴＳ処理部とＤＩＦとの間のデータ転送バスの帯域幅を大きくする必要があるという問題がある。これは、ＴＳデータが動画像データだけでなく、高速再生用の画像データを含むためである。
【０００５】
また、ＰＥＳ形式の動画像データと、高速再生用の画像データとをＴＳ形式で多重化した場合、送信先の外部装置は、ＴＳデータから高速再生用の画像データを分離しなければならず、回路が複雑になるという問題がある。
【０００６】
本発明は、上記の問題点に鑑みてなされたものであり、通常再生用の動画像データと高速再生用の画像データとを効率よく外部装置に送信できるようにすることを目的とする。
【課題を解決するための手段】
【０００７】
本発明に係る再生装置は、例えば、記録媒体から通常再生用の動画像データ及び高速再生用の画像データを再生する再生手段と、前記記録媒体から再生された前記通常再生用の動画像データを転送するための第１のバスと、前記記録媒体から再生された前記高速再生用の画像データを転送するための第２のバスと、前記第１のバス及び前記第２のバスを介して前記通常再生用の動画像データ及び前記高速再生用の画像データを受信する通信手段とを有し、前記通信手段は、前記第１のバス及び前記第２のバスを介して受信した前記通常再生用の動画像データ及び前記高速再生用の画像データをそれぞれ異なる論理チャネルを介して外部装置に送信することを特徴とする。
【発明の効果】
【０００８】
本発明によれば、通常再生用の動画像データと高速再生用の画像データとを効率よく外部装置に送信することができる。
【発明を実施するための最良の形態】
【０００９】
以下、本発明の実施の形態について説明する。
【００１０】
[第１の実施形態]
図１は、本発明の第１の実施の形態に係る記録再生装置２０の主要な構成要素を示す図である。図１に示す記録再生装置２０は、デジタルビデオレコーダ、デジタルビデオカメラ等の装置として構成することができる。
【００１１】
図１の記録再生装置２０は、通常再生用の動画像データと、高速再生用の画像データとを生成し、これらを記録媒体１０上の多数のトラックに記録したり、再生したりすることができる。本発明の全ての実施形態において、記録媒体１０は、磁気テープ等のテープ状記録媒体であることが好ましい。しかし、テープ状記録媒体として制御することができるのであれば、記録媒体１０は、ランダムアクセス可能な記録媒体であってもよい。
【００１２】
本発明の全ての実施形態において、通常再生用の動画像データと、高速再生用の画像データは、例えば、ＭＰＥＧ２規格に準拠した画像符号化方式により符号化されているものとする。また、通常再生用の動画像データは、音声データ、付加データ等を含むものとする。通常再生用の動画像データは、少なくとも、ビデオＰＥＳ（Ｐａｃｋｅｔｉｚｅｄ  Ｅｌｅｍｅｎｔａｒｙ  Ｓｔｒｅａｍ）パケットと、オーディオＰＥＳパケットとを含み、記録媒体１０に記録されている。ビデオＰＥＳパケットは、図２（ａ）に示すように、ビデオＥＳ（ＥｌｅｍｅｎｔａｒｙＳｔｒｅａｍ）から生成される。また、オーディオＰＥＳパケットは、図２（ａ）に示すように、オーディオＥＳ（エレメンタリストリーム：ＥｌｅｍｅｎｔａｒｙＳｔｒｅａｍ）から生成される。ビデオＰＥＳパケット、オーディオＰＥＳパケット、ビデオＥＳ及びオーディオＥＳは、ＭＰＥＧ２規格に準拠するものとする。
【００１３】
図３は、高速再生用の画像データの構造の一例を示す図である。高速再生用の画像データは、ビデオＥＳのうち、フレーム内符号化されたフレーム（Ｉフレーム）の画像データのみを用いて生成される。高速再生用の画像データは、図３に示すように、１４４０（ｐｉｘｅｌｓ）×１０８８（ｌｉｎｅｓ）の解像度を持つＩフレームの画像データを９０×６８のマクロブロック（ＭＢ）に分割する。そして、各マクロブロックの輝度情報（Ｙ０,Ｙ１,  Ｙ２,  Ｙ３）をそれぞれ６ｂｉｔｓで表現し、各マクロブロックの色差情報（Ｃｒ,  Ｃｂ）をそれぞれ５ｂｉｔｓで表現したものである。よって、高速再生用の画像データの解像度は１８０×１３６となる。高速再生用の画像データは、高速再生時にヘッドが走査する位置（固定位置）に記録される。高速再生用の画像データは、例えば、図４の斜線部分に記録される。図４の斜線部分は、通常再生時にも、記録媒体１０から再生することができる部分である。従って、高速再生用の画像データは、通常再生時にも、記録媒体１０から再生することができる。高速再生用の画像データは、記録媒体１０に記録されている通常再生用の動画像データをサーチ（検索）する目的でも使用される。従って、高速再生用の画像データは、「サーチデータ」と呼ぶこともできる。
【００１４】
次に、通常の再生時におけるＤＩＦ（デジタルインターフェース）部１４のデータ送信処理について説明する。
【００１５】
ＤＩＦ部１４は、図６に示すように、ＵＳＢデバイスコントローラ１４ａ及びＩＥＥＥ１３９４インターフェース１４ｂを有する。ＤＩＦ部１４は、制御部１３からの指示に従って、ＵＳＢデバイスコントローラ１４ａ及びＩＥＥＥ１３９４インターフェース１４ｂのいずれかを選択してＰＣ１００と通信することができる。ユーザは、ＵＳＢデバイスコントローラ１４ａ及びＩＥＥＥ１３９４インターフェース１４ｂのいずれかを選択することを、操作パネル（不図示）を介して制御部１３に指示することができる。
【００１６】
ＵＳＢデバイスコントローラ１４ａは、ＵＳＢ２.０  （Ｕｎｉｖｅｒｓａｌ  ＳｅｒｉａｌＢｕｓ  ２.０）規格及びその拡張規格（ｗｉｒｅｌｅｓｓ  ＵＳＢ、ＵＳＢ３.０等）に準拠したものであることが好ましい。本発明の全ての実施形態において、ＵＳＢ２.０規格及びその拡張規格を総称して「ＵＳＢ規格」という。ＩＥＥＥ１３９４インターフェース１４ｂは、ＩＥＥＥ１３９４-１９９５規格及びその拡張規格（ＩＥＥＥ１３９４ａ-２０００等）に準拠したものであることが好ましい。本発明の全ての実施形態において、ＩＥＥＥ１３９４-１９９５規格及びその拡張規格を「ＩＥＥＥ１３９４規格」と呼ぶ。
【００１７】
本実施形態では、ＤＩＦ部１４が、ＨＳ（Ｈｉｇｈ  Ｓｐｅｅｄ）対応のＵＳＢデバイスコントローラ１４ａを選択してＰＣ１００と通信する場合を説明する。
【００１８】
本実施形態に係る記録再生装置２０は、ＵＳＢホストであるＰＣ１００と３本の論理的な回線（論理チャネル）１０１、１０２、１０３を確立している。ＵＳＢにおけるデータ転送はデバイスのエンドポイントからエンドポイントに向けて行われる。エンドポイントとは、複数のバイトを格納するバッファを意味する。各エンドポイントはユニークなアドレスを持ってあり、どのデバイスもコントロールエンドポイントとして構成されたエンドポイント０を持つ。上記の論理チャネル（ＰＩＰＥ）は、上述したエンドポイントをＰＣ１００と接続するものである。ＵＳＢには、コントロール転送、バルク転送、インタラプト転送、アイソクロナス転送の４つの転送形態がある。コントロール転送は、ＵＳＢ規格で定義されたリクエストを運び、ＰＣ１００はそれを使ってデバイス情報を取得する。また、クラスまたはベンダが任意の目的について定義したリクエストを運ぶことができる。バルク転送は、時間の制約がない場合のデータ転送に有用である。これはプリンタやスキャナとのデータ転送で用いられる。インタラプト転送は、データを一定時間内に転送しなければならない場合に役に立つ。これはキーボード、マウスなどのポインティングデバイス、ジョイステック等で用いられる。アイソクロナス転送はストリームの実時間転送で、データが一定間隔に到着しなければならないとき、あるいは特定のタイミングまでに到着しなければならないときで、かつ、エラーが許されない場合に役に立つ。ここで、コントロールパイプ１０１は、コントロール転送用の論理チャネルであり、アイソクロナスパイプ１０２、１０３は、アイソクロナス転送用の論理チャネルである。
【００１９】
記録再生部１１は、制御部１３から通常再生の指示があると、記録媒体１０から通常再生用の動画像データと、高速再生用の画像データとを再生する。また、記録再生部１１は、制御部１３から高速再生の指示があると、記録媒体１０から高速再生用の画像データを再生する。記録再生部１１は、通常再生用の動画像データと、高速再生用の画像データとをそれぞれ記録再生部１１内のメモリに格納する。通常再生用の動画像データは、記録再生部１１からＴＳ（トランスポートストリーム）処理部１２に出力される。ＴＳ処理部１２は、制御部１３からの指示に従い、通常再生用の動画像データをＭＰＥＧ２のトランスポートストリーム形式に変換し、ＴＳ処理部１２とＤＩＦ部１４との間のスプリットバス１５を介してＤＩＦ部１４に通常再生用の動画像データを出力する。このスプリットバス１５は、第１のバスとして機能する。
【００２０】
ここで、ＴＳ処理部１２による変換処理について説明する。ＴＳ処理部１２は、通常再生用の動画像データを多数のブロックに分割し、各ブロックに対してＴＳヘッダを付加して１８８バイトのトランスポートストリームパケット（ＴＳパケット）を生成する。そして、通常再生用の動画像データから生成したＴＳパケットを適当なタイミングで多重化し、ＴＳを生成する。ＴＳ処理部１２による多重化処理の様子を図５に示す。図５において、トランスポートストリームのうちＶがビデオＰＥＳ５１から生成したＴＳパケットであり、ＡがオーディオＰＥＳ５２から生成したＴＳパケットである。各ＴＳパケットは、図５に示すように、ＴＳヘッダ（４バイト）とＴＳペイロード（１８４バイト）を含む。ＴＳヘッダには、各パケットのデータを識別するためのパケットＩＤ（ＰＩＤ）が付加されている。ＴＳ処理部１２はまた、各ＰＩＤのパケットに含まれるプログラム（データ）の内容を示すプログラムマップテーブル（ＰＭＴ）及びＰＭＴを検出するためのプログラムアソシエーションテーブル（ＰＡＴ）を多重化して出力する。ＰＡＴ及びＰＭＴは、プログラム仕様情報（ＰＳＩ）と呼ばれ、特にＰＡＴを有するＴＳパケットのＰＩＤは０番が割り当てられる。
【００２１】
ＵＳＢデバイスコントローラ１４ａは、スプリットバス１５を介して受信したＴＳパケットにＵＳＢビデオクラスヘッダを付加した後、アイソクロナスパイプ１０２を介して、外部装置としてのＰＣ１００に送信する。なお、本発明の全ての実施形態において、ＵＳＢ  Ｖｉｄｅｏ  Ｄｅｖｉｃｅ  Ｃｌａｓｓ規格に準拠するヘッダを「ＵＳＢビデオクラスヘッダ」と呼ぶ。
【００２２】
また、高速再生用の画像データは、記録再生部１１から制御部１３のＣＰＵバス１６を介してＤＩＦ部１４に直接出力される。このＣＰＵバス１６は、第２のバスとして機能する。
【００２３】
ＤＩＦ部１４内のＵＳＢデバイスコントローラ１４ａは、ＣＰＵバス１６を介して受信した高速再生用の画像データにＵＳＢビデオクラスヘッダを付加した後、アイソクロナスパイプ１０３を介して、外部装置としてのＰＣ１００に送信する。
【００２４】
[第２の実施形態]
図１及び図７を参照し、本発明の第２の実施形態を説明する。第２の実施形態において、第１の実施形態と同様の構成については、同一の符号を付し、その説明を省略する。
【００２５】
通常の再生時におけるＤＩＦ部１４のデータ送信処理について説明する。本実施形態では、ＤＩＦ部１４が、ＨＳ（Ｈｉｇｈ  Ｓｐｅｅｄ）対応のＵＳＢデバイスコントローラ１４ａを選択してＰＣ１００と通信する場合を説明する。
【００２６】
本実施形態に係る記録再生装置２０は、第１の実施形態と同様に、図１に示すものである。記録再生装置２０は、ＵＳＢホストであるＰＣ１００と４本の論理チャネル（コントロールパイプ１１１、アイソクロナスパイプ１１２、バルクパイク１１３、インタラプトパイプ１１４を確立している。ここで、コントロールパイプ１１１は、コントロール転送用の論理チャネルである。アイソクロナスパイプ１１２は、アイソクロナス転送用の論理チャネルである。バルクパイク１１３は、バルク転送用の論理チャネルである。インタラプトパイプ１１４は、インタラプト転送用の論理チャネルである。
【００２７】
ＵＳＢデバイスコントローラ１４ａは、スプリットバス１５を介してＴＳ処理部１２から受信したＴＳパケットにＵＳＢビデオクラスヘッダを付加した後、アイソクロナスパイプ１１２を介して、ＰＣ１００に送信する。
【００２８】
また、ＵＳＢデバイスコントローラ１４ａは、ＣＰＵバス１６を介して高速再生用の画像データを受信すると、インタラプトパイプ１１４を介して、転送開始トリガをＰＣ１００に送信する。転送開始トリガは、高速再生用の画像データの転送が開始されることをＰＣ１００に通知するための情報を含む。その後、ＵＳＢデバイスコントローラ１４ａは、バルクパイク１１３を介して、高速再生用の画像データをＰＣ１００に送信する。
【００２９】
[第３の実施形態]
図１及び図８を参照し、本発明の第３の実施形態を説明する。第３の実施形態において、第１の実施形態と同様の構成については、同一の符号を付し、その説明を省略する。
【００３０】
通常の再生時におけるＤＩＦ部１４のデータ送信処理について説明する。本実施形態では、ＤＩＦ部１４が、ＨＳ（Ｈｉｇｈ  Ｓｐｅｅｄ）対応のＵＳＢデバイスコントローラ１４ａを選択してＰＣ１００と通信する場合を説明する。
【００３１】
本実施形態に係る記録再生装置２０は、第１の実施形態と同様に、図１に示すものである。記録再生装置２０は、ＵＳＢホストであるＰＣ１００と３本の論理チャネル（コントロールパイプ１２１、アイソクロナスパイプ１２２、インタラプトパイプ１２３）を確立している。ここで、コントロールパイプ１２１は、コントロール転送用の論理チャネルである。アイソクロナスパイプ１２２は、アイソクロナス転送用の論理チャネルである。インタラプトパイプ１２３は、インタラプト転送用の論理チャネルである。
【００３２】
ＵＳＢデバイスコントローラ１４ａは、スプリットバス１５を介してＴＳ処理部１２から受信したＴＳパケットにＵＳＢビデオクラスヘッダを付加した後、アイソクロナスパイプ１２２を介して、ＰＣ１００に送信する。
【００３３】
また、ＵＳＢデバイスコントローラ１４ａは、ＣＰＵバス１６を介して高速再生用の画像データを受信すると、インタラプトパイプ１２３を介して、高速再生用の画像データをＰＣ１００に送信する。
【００３４】
[第４の実施形態]
図１及び図９を参照し、本発明の第４の実施形態を説明する。第４の実施形態において、第１の実施形態と同様の構成については、同一の符号を付し、その説明を省略する。
【００３５】
通常の再生時におけるＤＩＦ部１４のデータ送信処理について説明する。本実施形態では、ＤＩＦ部１４が、ＩＥＥＥ１３９４インターフェース１４ｂを選択してＰＣ１００と通信する場合を説明する。
【００３６】
本実施形態に係る記録再生装置２０は、第１の実施形態と同様に、図１に示すものである。記録再生装置２０は、ＰＣ１００との間に２本の論理チャネル（アイソクロナスチャネル１３１、１３２）を確立している。ＩＥＥＥ１３９４規格でもＵＳＢ規格と同様に、アイソクロナス転送は１２５μ秒毎にデータ転送が完了することを保証しており、動画や音声等の転送に適している。
【００３７】
ＩＥＥＥ１３９４インターフェース１４ｂは、スプリットバス１５を介してＴＳ処理部１２からＴＳパケットを受信すると、ＴＳパケットとＣＩＰ（Ｃｏｍｍｏｎ  Ｉｓｏｃｈｒｏｎｏｕｓ  Ｐａｃｋｅｔ）ヘッダとを含むアイソクロナスパケットを生成する。その後、ＩＥＥＥ１３９４インターフェース１４ｂは、生成したアイソクロナスパケットを、アイソクロナス転送を用いて、ＰＣ１００に送信する。これにより、ＩＥＥＥ１３９４インターフェース１４ｂで生成されたアイソクロナスパケットは、アイソクロナスチャネル１３１を介して、ＰＣ１００に送信される。本発明の全ての実施形態において、ＣＩＰヘッダは、少なくともＩＥＣ６１８８３-１規格に準拠するものとする。
【００３８】
また、ＩＥＥＥ１３９４インターフェース１４ｂは、ＣＰＵバス１６を介して高速再生用の画像データを受信した場合、高速再生用の画像データとＣＩＰヘッダとを含むアイソクロナスパケットを生成する。その後、ＩＥＥＥ１３９４インターフェース１４ｂは、生成したアイソクロナスパケットを、アイソクロナス転送を用いて、ＰＣ１００に送信する。これにより、ＩＥＥＥ１３９４インターフェース１４ｂで生成されたアイソクロナスパケットは、アイソクロナスチャネル１３２を介して、ＰＣ１００に送信される。
【００３９】
[第５の実施形態]
図１及び図１０を参照し、本発明の第５の実施形態を説明する。第５の実施形態において、第１の実施形態と同様の構成については、同一の符号を付し、その説明を省略する。
【００４０】
通常の再生時におけるＤＩＦ部１４のデータ送信処理について説明する。本実施形態では、ＤＩＦ部１４が、ＩＥＥＥ１３９４インターフェース１４ｂを選択してＰＣ１００と通信する場合を説明する。
【００４１】
本実施形態に係る記録再生装置２０は、第１の実施形態と同様に、図１に示すものである。記録再生装置２０は、ＰＣ１００との間に２本の論理チャネル（アイソクロナスチャネル１４１及びアシンクロナスチャネル１４２）を確立している。ＩＥＥＥ１３９４では、非同期にデータの通信を行う際に、アシンクロナス（Ａｓｙｎｃｈｒｏｎｏｕｓ）転送を用いる。アシンクロナス転送では、相手ノードに確実にパケットを送信することを保証し、送信の遅延時間は保証しない。
【００４２】
ＩＥＥＥ１３９４インターフェース１４ｂは、スプリットバス１５を介してＴＳ処理部１２から受信した場合、ＴＳパケットとＣＩＰヘッダとを含むアイソクロナスパケットを生成する。その後、ＩＥＥＥ１３９４インターフェース１４ｂは、生成したアイソクロナスパケットを、アイソクロナス転送を用いて、ＰＣ１００に送信する。これにより、ＩＥＥＥ１３９４インターフェース１４ｂで生成されたアイソクロナスパケットは、アイソクロナスチャネル１４１を介して、ＰＣ１００に送信される。
【００４３】
ＩＥＥＥ１３９４インターフェース１４ｂは、ＣＰＵバス１６を介して高速再生用の画像データを受信した場合、高速再生用の画像データを含むアシンクロナスパケットを生成する。その後、ＩＥＥＥ１３９４インターフェース１４ｂは、生成したアシンクロナスパケットを、アシンクロナス転送を用いて、ＰＣ１００に送信する。これにより、ＩＥＥＥ１３９４インターフェース１４ｂで生成されたアイソクロナスパケットは、アシンクロナスチャネル１４２を介して、ＰＣ１００に送信される。
【００４４】
以上説明したように、本発明の第１から第５の実施の形態によれば、高速再生用の画像データをＴＳ形式に変換することなくＤＩＦ部１４に送信することができる。そのため、多重化回路が複雑にならずに済む。
【００４５】
また、本発明の第１から第５の実施の形態によれば、送信先のＰＣ１００では、ＴＳデータから高速再生用の画像データを分離する回路が不要となる。
【００４６】
また、本発明の第１から第５の実施の形態によれば、通常再生用の動画像データと、高速再生用の画像データとを異なるバスを介してＤＩＦ部１４に提供できるため、ＴＳ処理部１２とＤＩＦ部１４との間のデータ転送バスの帯域を大きくする必要もない。
【図面の簡単な説明】
【００４７】
【図１】本発明の第１から第５の実施の形態に係る記録再生装置の主要な構成要素を示す図である。
【図２】ＥＳとＰＥＳの様子を示す図である。
【図３】高速再生用の画像データの構造の一例を示す図である。
【図４】高速再生用の画像データの記録位置の一例を示す図である。
【図５】ＰＥＳとＴＳの様子を示す図である。
【図６】本発明の第１の実施形態に係る記録再生装置とＰＣとの接続状態を示す図である。
【図７】本発明の第２の実施形態に係る記録再生装置とＰＣとの接続状態を示す図である。
【図８】本発明の第３の実施形態に係る記録再生装置とＰＣとの接続状態を示す図である。
【図９】本発明の第４の実施形態に係る記録再生装置とＰＣとの接続状態を示す図である。
【図１０】本発明の第５の実施形態に係る記録再生装置とＰＣとの接続状態を示す図である。
【符号の説明】
【００４８】
１０  記録媒体
１１  記録再生部
１４  ＤＩＦ
１５  スプリットバス
１６  ＣＰＵバス
２０  記録再生装置
【図１】
2009060535.tif 000003
【図２】
2009060535.tif 000004
【図３】
2009060535.tif 000005
【図４】
2009060535.tif 000006
【図５】
2009060535.tif 000007
【図６】
2009060535.tif 000008
【図７】
2009060535.tif 000009
【図８】
2009060535.tif 000010
【図９】
2009060535.tif 000011
【図１０】
2009060535.tif 000012